(57)【要約】【課題】扉の変形及び貯蔵室の密閉不良を防止できる冷蔵庫を提供する。【解決手段】鉛直に配される外装材２１、３１の上下に樹脂成形品から成るドアキャップ２４、３３を被嵌して内部に発泡断熱材２５が充填される扉４、５により貯蔵室２、３を開閉する冷蔵庫１において、上下の少なくとも一方のドアキャップ２４、３３が、発泡断熱材２５に対して遊離するとともに、底面から鉛直方向に突出して発泡断熱材２５に面した鉛直部４２、４７、４８と鉛直部４２、４７、４８から水平方向に突出する突出部４３とを有する。【選択図】図３
2010144982.tif 000002
【特許請求の範囲】
【請求項１】
鉛直に配される外装材の上下に樹脂成形品から成るドアキャップを被嵌して内部に発泡断熱材が充填される扉により貯蔵室を開閉する冷蔵庫において、上下の少なくとも一方の前記ドアキャップが、前記発泡断熱材に対して遊離するとともに、底面から鉛直方向に突出して前記発泡断熱材に面した鉛直部と前記鉛直部から水平方向に突出する突出部とを有することを特徴とする冷蔵庫。
【請求項２】
前記突出部が前記鉛直部に沿って延び、前記突出部を支持するリブを前記鉛直部に連続して設けたことを特徴とする請求項１に記載の冷蔵庫。
【請求項３】
前記ドアキャップがポリオレフィン系樹脂から成ることを特徴とする請求項１または請求項２に記載の冷蔵庫。
【請求項４】
前記ドアキャップの内面に遊離材を配したことを特徴とする請求項１または請求項２に記載の冷蔵庫。
【請求項５】
前記ドアキャップは前面側に配される前記鉛直部と隙間を介して前記扉の前面に配される前面部を有し、前記外装材を前記隙間に挿入するとともに前記外装材の背面側に前記鉛直部が弾性により密接することを特徴とする請求項１〜請求項４のいずれかに記載の冷蔵庫。
【請求項６】
前記鉛直部が前記前面部よりも鉛直方向に長く形成され、前記鉛直部の先端が前記前面部との対向面よりも前方に配されて前記外装材が前記鉛直部に沿って前記隙間に挿入されることを特徴とする請求項５に記載の冷蔵庫。
【請求項７】
前記突出部を前記扉の前面側と背面側とにそれぞれ複数設け、前面側の前記突出部と背面側の前記突出部とを左右方向に交互に配置したことを特徴とする請求項１〜請求項６のいずれかに記載の冷蔵庫。
【請求項８】
前記ドアキャップの底面の内面側に打ち抜き孔用の工具を案内するガイド部を設けたことを特徴とする請求項１〜請求項７のいずれかに記載の冷蔵庫。
【発明の詳細な説明】
【技術分野】
【０００１】
本発明は、発泡断熱材が充填された扉により貯蔵室を開閉する冷蔵庫に関する。
【背景技術】
【０００２】
従来の冷蔵庫は特許文献１に開示されている。この冷蔵庫は貯蔵室の前面が発泡断熱材を充填した扉により開閉される。扉は鉛直に配されて周面を形成する外装材の上下に樹脂成形品から成るドアキャップが被嵌される。外装材は前面及び側面を覆う化粧鋼板から成る前面パネルと、背面を覆う樹脂成形品のドア内板とを有している。
【０００３】
外装材及びドアキャップで形成される空間の内部に注入された発泡ポリウレタン等の発泡断熱材の原液が発泡し、扉の内部に発泡断熱材が充填される。これにより、断熱性の高い扉が得られる。また、ドア内板には冷蔵庫本体と密着するマグネットを有した伸縮自在のドアパッキンが取り付けられ、扉の閉成によって貯蔵室が密閉される。
【０００４】
【特許文献１】特開平３−９１６８３号公報（第２頁−第３頁、第６図）
【発明の開示】
【発明が解決しようとする課題】
【０００５】
しかしながら、上記従来の冷蔵庫によると、扉に充填される発泡断熱材はドアキャップの内面に固着し、硬化する際に収縮する。これにより、ドアキャップは収縮する発泡断熱材に内面が引張られて外面が凹み、扉が変形する問題があった。
【０００６】
また、発泡断熱材の収縮によってドアキャップの背面側が前方に引張られると、ドアキャップに固着されるドア内板が冷蔵庫本体から離れる。この時、外気温が低温（例えば、１５℃以下）になるとドアパッキンが硬化して伸縮量が減少し、ドアパッキンの伸長範囲を超えてドア内板が冷蔵庫本体から離れる。これにより、貯蔵室の密閉不良が発生する問題もあった。
【０００７】
本発明は、扉の変形及び貯蔵室の密閉不良を防止できる冷蔵庫を提供することを目的とする。
【課題を解決するための手段】
【０００８】
上記目的を達成するために本発明は、鉛直に配される外装材の上下に樹脂成形品から成るドアキャップを被嵌して内部に発泡断熱材が充填される扉により貯蔵室を開閉する冷蔵庫において、上下の少なくとも一方の前記ドアキャップが、前記発泡断熱材に対して遊離するとともに、底面から鉛直方向に突出して前記発泡断熱材に面した鉛直部と前記鉛直部から水平方向に突出する突出部とを有することを特徴としている。
【０００９】
この構成によると、扉の周面を形成する外装材の上下に樹脂成形品のドアキャップが被嵌される。外装材及びドアキャップで形成される空間の内部に注入された発泡ポリウレタン等の発泡断熱材の原液が発泡し、扉の内部に発泡断熱材が充填される。ドアキャップは発泡断熱材に対して遊離するように設けられ、扉の上下面を塞ぐ底面から鉛直方向に延びる鉛直部が発泡断熱材に面して形成される。鉛直部には水平方向に突出部が突出し、ドアキャップの底面と突出部との間に発泡断熱材が浸透する。ドアキャップを発泡断熱材から遊離する材料により形成してもよく、ドアキャップと発泡断熱材との間に両者を遊離させる部材を配してもよい。
【００１０】
また本発明は、上記構成の冷蔵庫において、前記突出部が前記鉛直部に沿って延び、前記突出部を支持するリブを前記鉛直部に連続して設けたことを特徴としている。この構成によると、突出部はドアキャップの底面に対向する面が鉛直部に沿って水平に延び、鉛直部に連続するリブにより支持されて補強される。
【００１１】
また本発明は、上記構成の冷蔵庫において、前記ドアキャップがポリオレフィン系樹脂から成ることを特徴としている。この構成によると、ポリプロピレン等のポリオレフィン系樹脂により形成されたドアキャップが発泡断熱材に対して遊離する。
【００１２】
また本発明は、上記構成の冷蔵庫において、前記ドアキャップの内面に遊離材を配したことを特徴としている。この構成によると、ドアキャップの内面にシリコン系塗料等の遊離材を塗布することや薄膜状の遊離材を配置することによってドアキャップが発泡断熱材に対して遊離する。
【００１３】
また本発明は、上記構成の冷蔵庫において、前記ドアキャップは前面側に配される前記鉛直部と隙間を介して前記扉の前面に配される前面部を有し、前記外装材を前記隙間に挿入するとともに前記外装材の背面側に前記鉛直部が弾性により密接することを特徴としている。この構成によると、扉前面に配される前面部と鉛直部との隙間に化粧鋼板等から成る外装材が挿入される。この時、樹脂成形品から成る鉛直部が弾性によって外装材に密接して発泡断熱材の漏出が防止される。
【００１４】
また本発明は、上記構成の冷蔵庫において、前記鉛直部が前記前面部よりも鉛直方向に長く形成され、前記鉛直部の先端が前記前面部との対向面よりも前方に配されて前記外装材が前記鉛直部に沿って前記隙間に挿入されることを特徴としている。この構成によると、例えば、下方のドアキャップの鉛直部が前面部よりも上方に延びて形成され、鉛直部の上端を後方に押しながら外装板が鉛直部と前面部との隙間に挿入される。
【００１５】
また本発明は、上記構成の冷蔵庫において、前記突出部を前記扉の前面側と背面側とにそれぞれ複数設け、前面側の前記突出部と背面側の前記突出部とを左右方向に交互に配置したことを特徴としている。
【００１６】
また本発明は、上記構成の冷蔵庫において、前記ドアキャップの底面の内面側に打ち抜き孔用の工具を案内するガイド部を設けたことを特徴としている。この構成によると、ガイド部に沿って工具が挿入され、打ち抜きにより施錠用のロックピン等が挿通される孔が形成される。
【発明の効果】
【００１７】
本発明によると、ドアキャップが発泡断熱材に対して遊離するため、発泡断熱材の収縮時にドアキャップが引張られることがない。従って、扉の変形及び貯蔵室の密閉不良を防止することができる。また、ドアキャップは底面から鉛直に突出する鉛直部から水平方向に延びる突出部が設けられるため、ドアキャップの底面と突出部との間に発泡断熱材が充填される。このため、扉の開閉時に捩れが生じた場合でもドアキャップの脱落を防止することができる。
【発明を実施するための最良の形態】
【００１８】
以下に本発明の実施形態を図面を参照して説明する。図１は一実施形態の冷蔵庫の正面図を示している。冷蔵庫１は冷凍室２が上部に配され、断熱壁６（図２参照）を介して下方に冷蔵室３が配置されている。冷凍室２は左端に把手４ａを有する冷凍室扉４によって開閉され、冷蔵室３は左端に把手５ａを有する冷蔵室扉５によって開閉される。
【００１９】
冷蔵室扉５の内部の中央上部には冷凍室扉４及び冷蔵室扉５を施錠する施錠機構部１０が設けられる。冷蔵室扉５の表面には施錠機構部１０のキーシリンダ１１が露出する。
【００２０】
図２は図１のＹ−Ｙ断面図を示している。冷凍室扉４は鉛直に配されて周面を形成する外装材２０の上下に樹脂成形品から成るドアキャップ２３、２４が被嵌される。外装材２０は化粧鋼板から成る前面パネル２１と樹脂成形品のドア内板２２とを有している。前面パネル２１は両端がそれぞれ折曲により断面略コ字状に形成され、冷凍室扉４の前面、側面及び背面の端部を覆う。ドア内板２２は冷凍室扉４の背面を覆い、冷凍室２内に入り込むように形成される。外装材２０及びドアキャップ２３、２４で形成される空間の内部には発泡ポリウレタン等の発泡断熱材２５が充填される。
【００２１】
同様に、冷蔵室扉５は鉛直に配されて周面を形成する外装材３０の上下に樹脂成形品から成るドアキャップ３３、３４が被嵌される。外装材３０は化粧鋼板から成る前面パネル３１と樹脂成形品のドア内板３２とを有している。前面パネル３１は両端がそれぞれ後方に折曲して断面略コ字状に形成され、冷蔵室扉５の前面、側面及び背面の端部を覆う。ドア内板３２は冷蔵室扉５の背面を覆い、冷蔵室３内に入り込むように形成される。外装材３０及びドアキャップ３３、３４で形成される空間の内部には発泡ポリウレタン等の発泡断熱材２５が充填される。
【００２２】
また、冷蔵室扉５の上部には施錠機構部１０が配される施錠室１０ａが設けられる。施錠室１０ａは仕切壁１０ｂにより発泡断熱材２５に対して仕切られる。
【００２３】
冷凍室扉４は前面パネル２１の上下端にドアキャップ２３、２４が取り付けられ、前面を下方にして発泡治具上に設置される。そして、冷凍室扉４内に発泡断熱材２５の原液を注入し、ドア内板２２で上方が塞がれると加熱により発泡断熱材２５が発泡して充填される。冷蔵室扉５も同様に形成される。
【００２４】
図３は図２のＡ部拡大図を示している。施錠機構部１０はロックピン１２及びロックピンホルダ１３を有している。ロックピン１２はキーシリンダ１１（図２参照）に連結され、キーシリンダ１１に挿入されるキーの操作によって上下動する。ロックピンホルダ１３は断熱壁６の前面に取り付けられるセンター仕切板７にネジ止めされて前方に延び、冷凍室扉４と冷蔵室扉５との間に配される。ロックピンホルダ１３にはロックピン１２が貫通する長孔状の貫通孔１３ａが形成される。尚、センター仕切板７は磁性体により形成され、断熱壁６の前面に係着される。
【００２５】
冷蔵室扉５の上方のドアキャップ３３にはロックピン１２が貫通する貫通孔１４が形成される。冷凍室扉４の下方のドアキャップ２４にはロックピン１２が挿入される凹部１５が形成される。
【００２６】
キーの操作によりロックピン１２が上昇するとドアキャップ３３及びロックピンホルダ１３の貫通孔１４、１３ａを貫通して上端がドアキャップ２４の凹部１５内に配される。これにより、冷凍室扉４及び冷蔵室扉５が施錠され、それぞれ単独で開成動作を行うとロックピン１２が凹部１５の周面に当接して開くことができない。また、冷凍室扉４及び冷蔵室扉５を同時に開くとロックピン１２がロックピンホルダ１３の貫通孔１３ａの周面に当接して開くことができない。そして、キーの操作によりロックピン１２が下降すると解錠され、冷凍室扉４及び冷蔵室扉５を開くことができるようになっている。
【００２７】
ドア内板２２、３２の背面側の周部には溝部２２ａ、３２ａが環状に形成される。溝部２２ａ、３２ａにはドアパッキン５１の突起部５１ａが圧入され、ドア内板２２、３２にそれぞれドアパッキン５１が取り付けられる。ドアパッキン５１には前後に伸縮自在のガスケット部５１ｃを介して後部にマグネット５１ｂが内装されている。マグネット５１ｂが磁性体のセンター仕切板７に吸着して冷凍室２及び冷蔵室３が密閉される。
【００２８】
ドアキャップ２３、２４、３３、３４は底面から鉛直に突出して発泡断熱材２５に面した鉛直部４２、４７を有している。前面側の鉛直部４２は前面パネル２１、３１の内面側に沿って設けられ、鉛直部４２の前面側には隙間４４（図４参照）を介して底面から鉛直に突出する前面部４１が形成される。背面側の鉛直部４７はドア内板２２、３２の内面側に沿って設けられ、ドア内板２２、３２が固着される。
【００２９】
ドアキャップ２３、２４、３３、３４はポリプロピレン等のポリオレフィン系樹脂から成り、発泡ポリウレタン等の発泡断熱材２５に対して遊離する性質を有する。このため、発泡断熱材２５が発泡して硬化する際に収縮してもドアキャップ２３、２４、３３、３４の収縮による変形を防止することができる。
【００３０】
この時、ドアキャップ２３、２４、３３、３４の背面側の鉛直部４７の前方への傾倒が防止される。これにより、鉛直部４７に固着したドア内板２２、３２に取り付けられるドアパッキン５１とセンター仕切板７との距離をガスケット部５１ｃの伸長範囲内にすることができる。従って、冷凍室２及び冷蔵室３の密閉不良を防止することができる。
【００３１】
図４は図３のＢ部拡大図を示している。また、図５、図６は冷凍室扉４の下方のドアキャップ２４及び冷蔵室扉５の上方のドアキャップ３３の平面図をそれぞれ示している。尚、冷凍室扉４の上方のドアキャップ２３及び冷蔵室扉５の下方のドアキャップ３４も同様に構成される。
【００３２】
ドアキャップ２３、２４、３３、３４の前後の鉛直部４２、４７間は底面から鉛直に突出する複数の鉛直部４８により連結される。これにより、ドアキャップ２３、２４、３３、３４の強度を向上することができる。
【００３３】
ドアキャップ２３、２４、３３、３４の前面側の鉛直部４２と前面部４１との間には隙間４４が形成され、前面パネル２１、３１が挿入される。従って、鉛直部４２及び前面部４１は冷凍室扉４及び冷蔵室扉５の前面から側面を介して背面側の一部まで連続して形成されている。尚、前面パネル２１、３１を折曲により背面側まで形成することにより、強度を向上して変形を防止することができる。
【００３４】
鉛直部４２は前面部４１よりも鉛直方向に長く形成され、弾性変形可能になっている。ドアキャップ２３、２４、３３、３４が前面パネル２１、３１に被嵌される前の状態で鉛直部４２の先端は前面部４１との対向面４２ａよりも前方に配されている。
【００３５】
ドアキャップ２３、２４、３３、３４が前面パネル２１、３１に被嵌されると鉛直部４２が後方に弾性変形し、鉛直部４２に沿って前面パネル２１、３１が隙間４４に挿入される。これにより、鉛直部４２の先端が弾性によって前面パネル２１、３１の背面側に密着し、発泡断熱材２５の漏出を防止することができる。
【００３６】
鉛直部４２、４７には冷凍室扉４及び冷蔵室扉５の内側に向かって水平方向に突出する突出部４３が設けられる。突出部４３は冷凍室扉４及び冷蔵室扉５の周方向に延びて複数箇所に設けられる。また、突出部４３は一部の鉛直部４８にも設けられる。突出部４３の両端部は鉛直部４２、４７、４８から延びたリブ４５により支持される。リブ４５はドアキャップ２３、２４、３３、３４の底面側が傾斜面に形成される。
【００３７】
突出部４３はドアキャップ２３、２４、３３、３４の底面に対向するため、底面上をスライドする金型によって形成される。このため、底面上には金型がスライドして抜くことの可能な平面部４６が形成される。
【００３８】
冷凍室扉４及び冷蔵室扉５に充填される発泡断熱材２５はドアキャップ２３、２４、３３、３４の底面と突出部４３との間に浸透する。ドアキャップ２３、２４、３３、３４は発泡断熱材２５に対して遊離するが、冷凍室扉４及び冷蔵室扉５の開閉時に捩れが生じた際に突出部４３が発泡断熱材２５に当接する。これにより、ドアキャップ２３、２４、３３、３４の脱落を防止することができる。
【００３９】
また、前面側の突出部４３と背面側の突出部４３とは左右方向に交互に配置される。これにより、金型の強度低下を防止するとともに、発泡断熱材２５の収縮力を分散して突出部４３近傍の亀裂を防止することができる。
【００４０】
尚、図６において、ドアキャップ３３には貫通孔１４の周囲に放射状に突設されるガイド部１４ａが形成される。ドアキャップ３３は成形後にピグ形状の打ち抜き工具がガイド部１４ａに案内され、打ち抜きによって貫通孔１４が形成される。これにより、貫通孔１４（打ち抜き孔）を形成しないドアキャップ２３、３４や他機種の冷蔵庫のドアキャップと金型及び部品の共通化を図ることができる。ガイド部１４ａを環状やアーチ状に形成してもよい。
【００４１】
本実施形態によると、ドアキャップ２３、２４、３３、２４が発泡断熱材２５に対して遊離するため、発泡断熱材２５の収縮時にドアキャップ２３、２４、３３、２４が引張られることがない。従って、冷凍室扉４及び冷蔵室扉５の変形及び冷凍室２及び冷蔵室３の密閉不良を防止することができる。また、ドアキャップ２３、２４、３３、３４は底面から鉛直に突出して発泡断熱材２５に面した鉛直部４２、４７、４８から水平方向に延びる突出部４３が設けられるため、ドアキャップ２３、２４、３３、３４の底面と突出部４３との間に発泡断熱材２５が充填される。このため、冷凍室扉４や冷蔵室扉５の開閉時に捩れが生じた場合でもドアキャップ２３、２４、３３、３４の脱落を防止することができる。
【００４２】
尚、突出部４３をドアキャップ２３、２４、３３、３４に設けているが、冷凍室扉４や冷蔵室扉５の上下の一方のドアキャップに設けてもよい。
【００４３】
また、突出部４３が周方向に延び、突出部４３を支持するリブ４５を鉛直部４２、４７、４８に連続して設けたので、突出部４３が補強される。従って、冷凍室扉４や冷蔵室扉５に捩れが生じた際に突出部４３の変形や破損を防止することができる。
【００４４】
また、ドアキャップ２３、２４、３３、３４がポリプロピレン等のポリオレフィン系樹脂から成るので、発泡断熱材２５に対して容易に遊離させることができる。
【００４５】
尚、ドアキャップ２３、２４、３３、３４の内面に遊離材を配してドアキャップ２３、２４、３３、３４を発泡断熱材２５に対して遊離させてもよい。遊離材としてシリコン系塗料やシリコン系樹脂等を用いることができる。シリコン系塗料の塗布、ジェル状のシリコン系樹脂の塗布、薄膜状のシリコン系樹脂の設置、シリコン系樹脂を含浸した薄紙の設置等によって遊離材を配することができる。
【００４６】
また、前面パネル２１、３１（外装材２０、３０）を隙間４４に挿入し、前面パネル２１、３１の背面側に鉛直部４２が弾性により密接するので、発泡断熱材２５の漏出を防止することができる。
【００４７】
また、鉛直部４２が前面部４１よりも鉛直方向に長く形成され、鉛直部４２の先端が前面部４１との対向面４２ａよりも前方に配されて前面パネル２１、３１（外装材２０、３０）が鉛直部４２に沿って隙間４４に挿入されるので、前面パネル２１、３１を容易に挿入できるとともに、弾性により前面パネル２１、３１に密接する鉛直部４２を容易に実現することができる。
【００４８】
また、前面側の突出部４３と背面側の突出部４３とを左右方向に交互に配置したので、金型の強度低下を防止するとともに、発泡断熱材２５の収縮力を分散して突出部４３近傍の亀裂を防止することができる。
【００４９】
また、ドアキャップ３３の底面の内面側に打ち抜き孔用の工具を案内するガイド部１４ａを設けたので、打ち抜き孔を形成しないドアキャップと金型及び部品の共通化を図ることができる。
【産業上の利用可能性】
【００５０】
本発明は、発泡断熱材が充填された扉により貯蔵室を開閉する冷蔵庫に利用することができる。
【図面の簡単な説明】
【００５１】
【図１】本発明の実施形態の冷蔵庫を示す正面図
【図２】図１のＹ−Ｙ断面図
【図３】図２のＡ部拡大図
【図４】図３のＢ部拡大図
【図５】本発明の実施形態の冷蔵庫の冷凍室扉の下方のドアキャップを示す平面図
【図６】本発明の実施形態の冷蔵庫の冷蔵室扉の上方のドアキャップを示す平面図
【符号の説明】
【００５２】
１    冷蔵庫
２    冷凍室
３    冷蔵室
４    冷凍室扉
５    冷蔵室扉
６    断熱壁
７    センター仕切板
１０    施錠機構部
１１    キーシリンダ
１２    ロックピン
１３    ロックピンホルダ
１４    貫通孔
１４ａ  ガイド部
１５    凹部
２０、３０  外装材
２１、３１  前面パネル
２２、３２  ドア内板
２３、２４、３３、３４  ドアキャップ
２５    発泡断熱材
４１    前面部
４２、４７、４８  鉛直部
４３    突出部
４４    隙間
４５    リブ
４６    平面部
５１    ドアパッキン
【図１】
2010144982.tif 000003
【図２】
2010144982.tif 000004
【図３】
2010144982.tif 000005
【図４】
2010144982.tif 000006
【図５】
2010144982.tif 000007
【図６】
2010144982.tif 000008